(57)【要約】【課題】頭皮をマッサージしつつ頭皮やその毛穴の洗浄効果の期待できる頭皮用洗浄装置を提供する。【解決手段】マイクロバブルを混入した水を生成するマイクロバブル水発生装置２を設け、該マイクロバブル水発生装置２の水流入口に水を供給する手動ポンプを備え、マイクロバブル水発生装置２を収容するとともに生成したマイクロバブル混入水を貯留する小容量の収容容器１４を設け、該収容容器１４の底部にマイクロバブル混入水の流出路１９を形成し、該流出路１９の途中に霧化装置２０を設け、流出路１９の出口となる噴霧口２７をベース３０に設け、ベース３０下面に複数個の接触子３３を突設するとともに該接触子３３を振動させる振動モーター３１を備えた。【選択図】図４
0003212403.tif 000002
【実用新案登録請求の範囲】
【請求項１】
マイクロバブルを混入した水を生成するマイクロバブル水発生装置を設け、該マイクロバブル水発生装置の水流入口に水を供給する手動ポンプを備え、前記マイクロバブル水発生装置を収容するとともに生成したマイクロバブル混入水を貯留する小容量の収容容器を設け、該収容容器の底部にマイクロバブル混入水の流出路を形成し、該流出路の途中に霧化装置を設け、流出路の出口となる噴霧口をベースに設け、ベース下面に複数個の接触子を突設するとともに該接触子を振動させる振動モーターを備えたことを特徴とする頭皮用洗浄装置。
【請求項２】
請求項１に記載の頭皮用洗浄装置の本体を載せるスタンドを設け、該スタンド側にバッテリー充電用のＤＣジャックを備えるとともに該ＤＣジャックに接続された第１充電端子を備え、前記頭皮用洗浄装置の本体側に前記第１充電端子に着脱可能に接続される第２充電端子を備えるとともに該第２充電端子に接続されたバッテリーを備えた頭皮用洗浄装置。
【考案の詳細な説明】
【技術分野】
【０００１】
本考案は、頭皮やその毛穴の洗浄効果の期待できる頭皮用洗浄装置に関する。
【背景技術】
【０００２】
本考案者は、小型軽量で顔面に装着したまま移動できる美顔器を開発している。この美顔器は、マイクロバブル混入水を生成させ、これを霧化させて顔面に噴霧する装置を顔面を覆うマスクに取り付けたもので、マスクを顔面に装着して使用するものである（特許文献１）。
【０００３】
ただ、この美顔器は、顔面に装着して使用するもので、頭部に使用することはできない。マイクロバブルは皮膚の洗浄効果に優れていることが知られており、マイクロバブル混入水を霧化させて頭皮に向けて噴霧すれば、頭皮やその毛穴を効果的に洗浄できるものと期待される。同時に、頭皮を振動させて刺激するようにすれば、そのマッサージ効果により、皮膚も柔らかくなり、毛穴も開いて汚れの洗浄効果も高まることが期待される。
【先行技術文献】
【特許文献】
【０００４】
【特許文献１】実用新案登録第３１８７２４４号公報
【考案の概要】
【考案が解決しようとする課題】
【０００５】
そこで、本考案は、頭皮をマッサージしつつ頭皮やその毛穴の洗浄効果の期待できる頭皮用洗浄装置を提供することを目的とする。
【課題を解決するための手段】
【０００６】
上記の課題を解決するために、請求項１に係る考案は、マイクロバブルを混入した水を生成するマイクロバブル水発生装置を設け、該マイクロバブル水発生装置の水流入口に水を供給する手動ポンプを備え、前記マイクロバブル水発生装置を収容するとともに生成したマイクロバブル混入水を貯留する小容量の収容容器を設け、該収容容器の底部にマイクロバブル混入水の流出路を形成し、該流出路の途中に霧化装置を設け、流出路の出口となる噴霧口をベースに設け、ベース下面に複数個の接触子を突設するとともに該接触子を振動させる振動モーターを備えたこと、を特徴としている。
請求項２に係る考案は、請求項１に記載の頭皮用洗浄装置の本体を載せるスタンドを設け、該スタンド側にバッテリー充電用のＤＣジャックを備えるとともに該ＤＣジャックに接続された第１充電端子を備え、前記頭皮用洗浄装置の本体側に前記第１充電端子に着脱可能に接続される第２充電端子を備えるとともに該第２充電端子に接続されたバッテリーを備えたものである。
【考案の効果】
【０００７】
請求項１に係る考案は、マイクロバブルを混入した水を生成するマイクロバブル水発生装置を設け、該マイクロバブル水発生装置の水流入口に水を供給する手動ポンプを備え、前記マイクロバブル水発生装置を収容するとともに生成したマイクロバブル混入水を貯留する小容量の収容容器を設け、該収容容器の底部にマイクロバブル混入水の流出路を形成し、該流出路の途中に霧化装置を設け、流出路の出口となる噴霧口をベースに設け、ベース下面に複数個の接触子を突設するとともに該接触子を振動させる振動モーターを備えたので、収容容器内に溜まったマイクロバブル混入水は、霧化装置で霧化されて下流の噴霧口から外部（頭皮）に向けて噴霧されることになる。また、接触子を頭皮に当てて振動させることにより頭皮のマッサージ効果を得ることができる。
これにより、マイクロバブルによる洗浄効果と振動による頭皮のマッサージ効果により、毛穴が開いて毛穴に付着した汚れを洗い流す効果が高まることが期待できる。このように頭皮の状態が改善され、また毛穴の浄化により、毛根に栄養が届きやすくなり、育毛や発毛の可能性が高まり、白髪の黒色化、髪が太く強くなるなどの効果が期待できることになる。
請求項２に係る考案は、頭皮用洗浄装置の本体を載せるスタンドを設け、該スタンド側にバッテリー充電用のＤＣジャックを備えるとともに該ＤＣジャックに接続された第１充電端子を備え、前記頭皮用洗浄装置の本体側に前記第１充電端子に着脱可能に接続される第２充電端子を備えるとともに該第２充電端子に接続されたバッテリーを備えたので、頭皮用洗浄装置の本体側はコードレスで使用することができ、使い勝手がよくなる。
【図面の簡単な説明】
【０００８】
【図１】本考案の実施例による頭皮用洗浄装置の平面図である。
【図２】本考案の実施例による頭皮用洗浄装置の正面図である。
【図３】本考案の実施例による頭皮用洗浄装置の底面図である。
【図４】図１のＩＶ−ＩＶ断面図である。
【図５】収容容器部の要部断面図である。
【図６】マイクロバブル水発生装置の断面図である。
【図７】手動ポンプの一部断面正面図である。
【図８】圧電素子の斜視図である。
【図９】スタンドの平面図である。
【図１０】スタンドの正面図である。
【図１１】図９のＸＩ−ＸＩ断面図である。
【図１２】スタンドに装置本体を載置して充電する直前の様子を示す正面図である。
【図１３】スタンドに装置本体を載置して充電中の様子を示す正面図である。
【図１４】スタンドの載置面にリングを介して装置本体を載置した様子を示す一部断面正面図である。
【考案を実施するための形態】
【０００９】
以下、本考案の実施例を図面に基づいて具体的に説明する。本考案の実施例による頭皮用洗浄装置１は、マイクロバブルを混入した水を生成するマイクロバブル水発生装置２、該マイクロバブル水発生装置２を収容する小容量の収容容器１４、マイクロバブル混入水を霧状（ミスト）にする霧化装置２０、及びベース下面に突設した接触子３３とこれを振動させる振動モーター３１を主な構成要素とする。
【００１０】
マイクロバブル水発生装置２は、空気をマイクロバブルの状態で水に混入させるもので、図６に示すようになっている。なお、水は、通常の水でも精製水でもよい。ケーシング３内に大径の流入口４、小径の絞り流路５、及び拡開部６を上流から下流に向けて順次同軸に連通形成する。流入口４は継手７を介して注入器８に接続されている。
前記絞り流路５の下流部に段状に大径となる環状の負圧室９を形成し、該負圧室９に小径の空気流入路１０を半径方向外方から連通させる。該空気流入路１０の外端部をケーシング３の外方に突出させ、その突出部１１に空気供給管１２を接続する。
前記拡開部６は、絞り流路５の下流端から下流側に向かって次第に大径となる円錐状に形成し、端面は絞り流路５と対面する広面積の衝突壁６ａとする。拡開部６の端部外周に複数の流出口１３を形成し、該流出口１３から拡開部６内で生成したマイクロバブル混入水を収容容器１４内に流出させる。
後述する手動ポンプによって圧送される水は、絞り流路５を高速で流通し、負圧室９に負圧を発生させ、この部で空気流入路１０から空気を取り込みながら拡開部６の内部で空気が水にマイクロバブルの状態で混入したマイクロバブル混入水が効率よく生成されることになる。
【００１１】
前記注入器８には、図７に示すような手動ポンプ１５を接続して水又は精製水（以下、単に水という）を注入する。手動ポンプ１５は、円筒状のシリンダ（外筒）１６内にピストン（内筒）１７を摺動可能に嵌合したもので、注射器と同様の構造のものである。
【００１２】
上記のマイクロバブル水発生装置２は小容量の収容容器１４内に収容される（図５）。収容容器１４の内容量は３〜２０ｍｌの範囲が好ましい。本実施例では３ｍｌである。なお、本実施例でのマイクロバブル水発生装置２本体の寸法は、φ６ｍｍ×２０ｍｍ程度である。
【００１３】
収容容器１４の底部の中心部にはマイクロバブル混入水の流出口１８を形成してあり、その流出路１９は下方に向かって延び、その流出路１９の途中に圧電素子からなる霧化装置２０を設けてあり、その下流側からマイクロバブル水が霧状（ミスト）になって流下することになる。
圧電素子（霧化装置）２０は、図８に示すように、円板状に形成され、中心部には水が通過可能な流通部２１が設けられており、この流通部２１をマイクロバブル水が霧化されて流下する。符号２２はリード線である。
霧化装置２０は上下から円板状の挟持板２３，２４により水密に挟持される。挟持板２３、２４の中心部が流出路１９となっている。符号２５，２６はＯリングである。そして、前記流出路１９の下端は霧状となったマイクロバブル水の噴霧口となっている。符号２９は収容容器のキャップである。
【００１４】
これら、収容容器１４、流出路１９、霧化装置２０は円筒状のハウジング２８内に収容され、該ハウジング２８は、ベース３０に形成した噴霧口２７と流出路１９の下端とが対応するベース３０上の位置に取り付けられる。
【００１５】
ベース３０上には振動モーター３１が取り付けられている（図４）。振動モーター３１はモーターの回転軸に偏心重り３２を取り付けたものである。回転数は例えば３０００ｒｐｍ程度である。また、ベース下面には硬質ゴム材からなる棒状の接触子３３を複数個（図３では８個）、噴霧口２７の周りに円状に配置して突設してある。そして、振動モーター３１を駆動させることにより、振動モーター３１の振動が接触子３３に伝達され、接触子３３が振動することになる。なお、振動モーター３１の回転数や接触子３３の個数は一例であって適宜変更可能である。
【００１６】
符号３４はバッテリーで本装置の電源となる。符号３５は空気孔で、ホース３６を介して収容容器１４内と連通している。符号３７はボディー、３８はカバーである。なお、制御基板や配線は略してある。
図１において、符号３９はスイッチでスタートボタンとなる。符号４０はＬＥＤランプ（緑）で、点滅が充電要求、点灯が充電完了を示す。符号４１はＬＥＤランプ（赤）で、点灯は動作中を示す。
【００１７】
図９〜図１１は、頭皮用洗浄装置の本体４２を載せるスタンド４３を示す。スタンド４３の上面は装置本体４２のベース３０の載置面４４となっており、該載置面４４の外周部の４箇所に規制爪４５を突設してある。規制爪４５は、規制爪４５内に載置された装置本体４２がスタンド４３からずれないように規制する。スタンド４３の中央部には装置本体の接触子３３を収容する凹部４６を形成してある。下部側面にはバッテリー充電用のＤＣジャック４７を設けてあり、家庭用電源から降圧した低圧電源の入力部となる。
このＤＣジャック４７に接続された第１充電端子（雌側ジャック）４８をその先端部を載置面４４から突出させて設けてある。一方、装置本体４２側の対応する箇所（図３）には、スタンド４３側の第１充電端子４８に着脱可能に接続される第２充電端子（雄側ピン）４９を備えており、この第２充電端子４９はバッテリー３４に接続されている。
【００１８】
図１２に示すように、装置本体４２の第２充電端子４９とスタンド４３側の第１充電端子４８とを対面させて押し込むことにより、図１３に示すように、スタンド側の第１充電端子（雌側ジャック）４８と装置本体側の第２充電端子（雄側ピン）４９とが接続されて装置本体のバッテリー３４に充電されることになる。
なお、充電端子４８，４９はそれぞれ３箇所に設けてあるが、その内の１個所は位置合わせ用（接続確認用）の端子で、スタンド４３上に正しく装置本体４２を位置合わせできるようにしている。
【００１９】
充電が完了し、装置本体４２を不使用で単にスタンド４３に載せておくときは、図１４に示すように、載置面４４上の規制爪４５内にリング５０を置き、該リング５０上に装置本体４２を載せるようにする。なお、リング５０の上下幅は規制爪４５の高さより小さくして、装置本体４２が規制爪４５からずれ落ちないようにしている。
【００２０】
このように、装置本体４２側にバッテリー３４を収容するとともに、該バッテリー３４を充電する充電用のＤＣジャック４７をスタンド４３側に設けるようにして、装置本体４２側をコードレスで使用できるようにしてある。
【００２１】
上記の構成からなる頭皮用洗浄装置１の使用方法を説明する。先ず、手動ポンプ１５のシリンダ１６内に所定量（３ｍｌ）の水を収容して、その注出口１６ａをマイクロバブル水発生装置２の注入器８に装着し、手動ポンプ１５のピストン１７を押して、シリンダ１６内の水を注入器８を介してマイクロバブル水発生装置２の流入口４に勢いよく注入する。注入終了後、手動ポンプ１５を注入器８から取り外す。
手動ポンプ１５によって圧送（注入）された水は、絞り流路５を高速で流通し、負圧室９に負圧を発生させ、この部で空気流入路１０から空気を取り込みながら拡開部６の内部で空気が水にマイクロバブルの状態で混入したマイクロバブル混入水が効率よく生成され、流出口１３から収容容器１４内に流出し、該収容容器１４内に溜まる（図５）。
この状態で接触子を頭皮に当て、スイッチ３９を入れると、霧化装置（圧電素子）２０が作動しマイクロバブル混入水が霧化されて（霧化量は１ｍｌ／分）、下流の流出路１９を流下し、噴霧口２７から頭皮に向けて噴霧される。上記では、噴霧時間は３分程度である。
また、同時に、振動モーター３１が作動し、接触子３３が振動して頭皮も振動されることになる。振動モーター３１の作動時間は３分程度である。なお、上記した数値（水注入量、圧電素子の霧化量、噴霧時間、振動モーターの振動数や作動時間）は、一例であって限定されるものではない。
【００２２】
このように、本考案の頭皮用洗浄装置によれば、マイクロバブルによる洗浄効果と振動による頭皮のマッサージ効果により、毛穴が開いて毛穴に付着した汚れを洗い流す効果が高まることが期待できる。
マイクロバブルが混入したミストと頭皮の振動による刺激により、頭皮の状態が改善され、また毛穴の浄化により、毛根に栄養が届きやすくなり、育毛や発毛の可能性が高まり、白髪の黒色化、髪が太く強くなるなどの効果が期待できることになる。
【符号の説明】
【００２３】
１  頭皮用洗浄装置
２  マイクロバブル水発生装置
３  ケーシング
４  流入口
５  絞り流路
６  拡開部
７  継手
８  注入器
９  負圧室
１０  空気流入路
１１  突出部
１２  空気供給管
１３  流出口
１４  収容容器
１５  手動ポンプ
１６  シリンダ
１７  ピストン
１８  流出口
１９  流出路
２０  霧化装置
２１  流通部
２２  リード線
２３，２４  挟持板
２５，２６  Ｏリング
２７  噴霧口
２８  ハウジング
２９  キャップ
３０  ベース
３１  振動モーター
３２  偏心重り
３３  接触子
３４  バッテリー
３５  空気孔
３６  ホース
３７  ボディー
３８  カバー
３９  スイッチ
４０  ＬＥＤランプ（緑）
４１  ＬＥＤランプ（赤）
４２  装置本体
４３  スタンド
４４  載置面
４５  規制爪
４６  凹部
４７  ＤＣジャック
４８  第１充電端子
４９  第２充電端子
５０  リング
【図１】
0003212403.tif 000003
【図２】
0003212403.tif 000004
【図３】
0003212403.tif 000005
【図４】
0003212403.tif 000006
【図５】
0003212403.tif 000007
【図６】
0003212403.tif 000008
【図７】
0003212403.tif 000009
【図８】
0003212403.tif 000010
【図９】
0003212403.tif 000011
【図１０】
0003212403.tif 000012
【図１１】
0003212403.tif 000013
【図１２】
0003212403.tif 000014
【図１３】
0003212403.tif 000015
【図１４】
0003212403.tif 000016